(57)【特許請求の範囲】
【請求項１】
対象物を受容するための、全体が上方に開口する開口部を有するカバー部と、前記開口部を開閉する蓋部を備えた開閉蓋体と、前記開閉蓋体を駆動して前記蓋部により開口部を開閉するための駆動機構を備えてなり、
前記蓋部は、開口部を閉じた状態におけるカバー部に対する外側部分が、上方に凸の湾曲状をなし、その蓋部の内方側に位置する回転軸線を中心として回転することにより開口部を開閉し得、カバー部の上面部における開口部の外周部の高さ位置よりも低いものであることを特徴とする開閉受容装置。
【請求項２】
上記蓋部が開口部を閉じた状態において、その開口部と蓋部が上方開口の凹部を形成し、上記蓋部の外側部分が、前記凹部の底面部として、上方に凸の湾曲状をなす底面部を構成し、前記底面部は、上方に凸の湾曲状をなす頂部と、頂部よりも低い部分を有する請求項１記載の開閉受容装置。
【請求項３】
上記開口部の下方に、開口部から下方へ受容した対象物を下方の所要箇所へ導くと共に開口部が開口した状態においてカバー部の上方から開口部を通じて前記所要箇所が見えることを防ぐための案内部を有する請求項１又は２記載の開閉受容装置。
【請求項４】
上記カバー部内に上記駆動機構を備える請求項１乃至３の何れか１項に記載の開閉受容装置。
【請求項５】
所定の水平方向において、上記カバー部の幅が上記開口部の幅の１．１乃至１．８倍である請求項１乃至４の何れか１項に記載の開閉受容装置。
【請求項６】
上記蓋部が、開口部を閉じた状態における外側部分が上方に凸の円筒状湾曲面の所定中心角部分に相当する、ほぼ一定厚の湾曲板状をなす請求項１乃至５の何れか１項に記載の開閉受容装置。
【請求項７】
上記カバー部が他の部分に対し着脱可能なものであり、上記案内部は、カバー部に対し揺動可能に支持された下降傾斜案内路であり、案内部の所定箇所が所定の作用を受けることにより、傾斜角度が大きくなって下方部がカバー部の下方に突出した使用状態となり、前記所定の作用が解除されることにより、自重のバランスにより案内部の傾斜角度が小さく又は水平状となって下方部がカバー部の下方に突出しない状態となる請求項３記載の開閉受容装置。
【請求項８】
請求項１乃至７の何れか１項に記載の開閉受容装置と、その開閉受容装置のカバー部における開口部から下方へ受容した対象物を収容する収容部を備える収容器。
【発明の詳細な説明】
【技術分野】
【０００１】
開閉する開口部から汚物等の対象物を受容するための開閉受容装置及びその開閉受容装置を備える収容器に関する。
【背景技術】
【０００２】
特開２００５−１７０５４５号公報には、ゴミ箱本体１の上端開口縁に着脱自在に装着される枠状体２を形成し、該枠状体の内側にモータ１０によって開閉動される蓋体３をヒンジし、該枠状体の前面に赤外線センサ１２を設け、該センサによって物体の動きが感知されることにより前記モータが作動して該蓋体を自動的に開かせるとともに、該センサによって物体の動きが感知されない場合に該蓋体を自動的に閉じさせるゴミ箱の発明が記載されています。
【０００３】
このゴミ箱は、開閉操作を要さず蓋体が自動的に開閉するものであり、衛生的に使用することができるものであるが、蓋体の上に荷物等を置いた状態でセンサからの信号によりモータが作動すると、荷物等により蓋体が開かず、モータ等に過負荷がかかって故障を引き起こし得るものであった。また、蓋体が上方へ開こうとする際に、誤って又は故意にその蓋体を上から手などで押さえることによっても、同様に故障が発生し得るものであった。
【先行技術文献】
【特許文献】
【０００４】
【特許文献１】特開２００５−１７０５４５号公報
【発明の概要】
【発明が解決しようとする課題】
【０００５】
本発明は、蓋部により開いた開口部から汚物等の対象物を下方へ受容し得ると共に、開口部付近のカバー部上に荷物等が載置されたり、誤って又は故意に蓋部の開閉が妨げられた状態で蓋部の開閉動作が行なわれて過負荷がかかることにより駆動機構の故障等が引き起こされることが防がれる開閉受容装置及びその開閉受容装置を備える収容器を提供することを目的とする。
【課題を解決するための手段】
【０００６】
本発明の開閉受容装置及び収容器は、次のように表すことができる。
【０００７】
(1) 対象物を受容するための上方に開口する開口部を有するカバー部と、前記開口部を開閉する蓋部を備えた開閉蓋体を備えると共に、
前記カバー部内に、前記開閉蓋体を駆動して前記蓋部により開口部を開閉するための駆動機構を備えてなり、
前記蓋部は、開口部を閉じた状態におけるカバー部に対する外側部分が、外方に凸の湾曲状をなし、その蓋部の内方側に位置する回転軸線を中心として回転することにより開口部を開閉し得、カバー部の上面部の高さ位置よりも低いものであることを特徴とする開閉受容装置。
【０００８】
対象物を受容するための上方に開口する開口部を駆動機構により駆動されて開閉する蓋部は、開口部を閉じた状態におけるカバー部に対する外側部分が、外方に凸の湾曲状をなし、カバー部の上部の高さ位置よりも低い。
【０００９】
そのため、蓋部により開いた開口部から汚物等の対象物を下方へ受容し得ると共に、開口部付近のカバー部上に荷物等が載置された状態で蓋部の開閉動作が行なわれて過負荷がかかることにより駆動機構の故障等が引き起こされることを回避することができる。また、誤って又は故意に蓋部の開閉動作を妨げることによる故障発生も効果的に防がれる。
【００１０】
(2) 上記開口部は、全体が上方に開口しているものである上記(1)記載の開閉受容装置。
【００１１】
この場合、開口部の斜め上方から内部下方が見えにくいものとすることができる。
【００１２】
(3) 上記開口部の下方に、開口部から下方へ受容した対象物を下方の所要箇所へ導くと共に開口部が開口した状態においてカバー部の上方から開口部を通じて前記所要箇所が見えることを防ぐための案内部を有する上記(1)又は(2)記載の開閉受容装置。
【００１３】
この場合、案内部が、開口部から下方へ受容した対象物を下方の所要箇所へ導くと共に開口部が開口した状態においてカバー部の上方から前記所要箇所が見えることを防ぐことができる。
【００１４】
(4) 上記蓋部が、カバー部の上面部における開口部の外周部の高さ位置よりも低い上記(1)乃至(3)の何れか１項に記載の開閉受容装置。
【００１５】
(5) 所定の水平方向において、上記カバー部の幅が上記開口部の幅の１．１乃至１．８倍である上記(1)乃至(4)の何れか１項に記載の開閉受容装置。
【００１６】
この場合、所定の水平方向における開閉受容装置の寸法を可及的に小さくして狭いスペースでの使用が可能となる。
【００１７】
(6) 上記蓋部が、開口部を閉じた状態における外側部分が上方に凸の円筒状湾曲面の所定中心角部分に相当する、ほぼ一定厚の湾曲板状をなす上記(1)乃至(5)の何れか１項に記載の開閉受容装置。
【００１８】
(7) 上記カバー部が他の部分に対し着脱可能なものであり、上記案内部は、カバー部に対し揺動可能に支持された下降傾斜案内路であり、案内部の所定箇所が所定の作用を受けることにより、傾斜角度が大きくなって下方部がカバー部の下方に突出した使用状態となり、前記所定の作用が解除されることにより、自重のバランスにより案内部の傾斜角度が小さく又は水平状となって下方部がカバー部の下方に突出しない状態となる上記(3)記載の開閉受容装置。
【００１９】
この場合、例えば使用時にカバー部を他の部分に結合させることにより案内部の所定箇所が所定の作用を受け、不使用時にカバー部と他の部分の結合を解除することにより案内部の所定箇所に対する所定の作用が解除されるものとすれば、使用時にはカバー部の高さを抑制しつつ案内部の傾斜全長をできるだけ長くして、対象物を所要箇所へ確実に導くと共に下方の所要箇所がカバー部の上方から開口部を通じて所要箇所が見えることを防ぐ効果を高めると共に、不使用時には下方部がカバー部の下方に突出しない状態となってカバー部を水平面等に載置する上で支障がなくなる。
【００２０】
(8) 上記(1)乃至(7)の何れか１項に記載の開閉受容装置と、その開閉受容装置のカバー部における開口部から下方へ受容した対象物を収容する収容部を備える収容器。
【発明の効果】
【００２１】
本発明の開閉受容装置及び収容器によれば、蓋部により開いた開口部から汚物等の対象物を下方へ受容し得ると共に、開口部付近のカバー部上に荷物等が載置された状態で蓋部の開閉動作が行なわれて過負荷がかかることにより駆動機構の故障等が引き起こされることを回避することができる。また、誤って又は故意に蓋部の開閉動作を妨げることによる故障発生も効果的に防がれる。
【図面の簡単な説明】
【００２２】
【図１】収容器の斜視図である。
【図２】開口部を閉じた状態の収容器の平面図である。
【図３】図２におけるIII−III断面図である。
【図４】開口部を閉じた状態の収容器のカバー部を省略した斜視図である。
【図５】開口部を半分開いた状態の収容器の平面図である。
【図６】開口部を開いた状態の収容器の平面図である。
【図７】図６におけるVII−VII断面図である。
【図８】開口部を開いた状態の収容器のカバー部を省略した斜視図である。
【図９】開閉蓋体の斜視図である。
【図１０】シュートの斜視図である。
【図１１】収容器の収容部を省略した左側面図である。
【図１２】収容部から取り外されたカバー部の断面図である。
【発明を実施するための形態】
【００２３】
[1] 本発明の実施の形態の一例としての開閉受容装置及びその開閉受容装置を備える収容器について、図面を参照しつつ説明する。
【００２４】
(1) この収容器Ａは、正面形状及び平面形状が縦長方形状をなし、全体として、高さ及び奥行に比し横幅が小さい略直方体形箱形状であって、この例においては合成樹脂を主材料とする。
【００２５】
この収容器Ａは、上部を構成する下方開口の箱形状のカバー部１０の下端外周部の内側に、下部を構成する上方開口の箱形状の収容部２０の上端外周突出部２１が嵌合したものであり、嵌合を解除することによりカバー部１０と収容部２０に分割し得る。
【００２６】
(2) この例における開閉受容装置Ｂは、カバー部１０に開閉蓋体３０と駆動機構４０が設けられてなる。
【００２７】
(3) カバー部１０は、汚物等の対象物を受容するための、全体が上方に開口する略長方形状の開口部１１を有する。
【００２８】
汚物等の対象物は、カバー部１０の開口部１１から下方へ受容される。
【００２９】
この例では、カバー部１０及び収容器Ａの幅（正面方向、すなわち汚物等の対象物を開口部１１に投入する方向、に直交する水平方向の寸法）は、開口部１１の幅（同じく正面方向に直交する水平方向の寸法）の約１．６倍である。
【００３０】
(4) カバー部１０には、開口部１１の下方に位置して開口部１１から下方へ受容した汚物等の対象物を収容部２０へ導くためのシュート５０（下降傾斜案内路）が案内部として設けられている。
【００３１】
シュート５０は、奥に向かって下降傾斜する傾斜板部５１と、その傾斜板部５１の上部における両側方及び手前に水平状に張り出した水平張出部５２と、傾斜板部５１の下方側の両側部からそれぞれ上方に張り出した上方起立板部５３と、両上方起立板部５３の上部に設けられた外方突出の両シュート支持軸部５４からなる。傾斜板部５１の上側面には、対象物品の滑落を円滑化するために傾斜方向の複数の突条５１ａが平行状に形成されている。
【００３２】
シュート５０は、両シュート支持軸部５４において水平方向軸線のまわりに揺動可能な状態でカバー部１０の内側に支持され、収容部２０の上端外周突出部２１がカバー部１０の下端部に十分に嵌合した状態では、シュート５０の水平張出部５２が収容部２０の上端外周突出部２１のうち手前側の部分（図３及び図７における右端部）により押し上げられ、傾斜板部５１が奥に向かって（図３及び図７における左方に向かって）下降傾斜した状態、すなわち使用時にあるべき状態となる。この状態では、図３、図７及び図１１に示されるように、シュート５０の下部はカバー部１０の下端よりも下方に位置する。また、この状態のシュート５０により、開口部１１が開口した状態においてカバー部１０の上方から開口部１１を通じて汚物等の対象物を収容した下方の収容部２０が見えることが防がれる（さえぎられる）。
【００３３】
カバー部１０から収容部２０が取り外された状態では、図１２に示されるように、シュート５０は、自重のバランスにより、水平張出部５２が上端位置よりもやや下降し、シュート５０の下部がカバー部１０から下方に突出しない状態で安定する。
【００３４】
(5) 開閉蓋体３０は、開口部１１を開閉する蓋部３１を備える。
【００３５】
蓋部３１は、開口部１１を閉じた状態において上方に凸となる円筒状湾曲面の所定中心角部分（この例においては約３５度中心角）に相当するほぼ一定厚の湾曲板状をなし、その円筒状湾曲面の中心軸線に対応する横方向の水平回転軸線を中心として所定角度正回転及び逆回転することにより開口部１１を開閉し得るものである。
【００３６】
蓋部３１の両側、すなわち回転軸線方向における両端部には、それぞれ回転軸線に直交する支持板部３２が設けられている。各支持板部３２には、回転軸線に沿った蓋体支持軸部３３が外向きに突設され、両蓋体支持軸部３３において、カバー部１０に対し開閉蓋体３０が回転軸線を中心として正逆回転可能に支持されている。
【００３７】
蓋部３１は、開口部１１を開いた状態（図１、図２及び図３）、閉じた状態（図６及び図７）及び開閉過程（図５）等の何れの状態においても、カバー部１０の上面部１０ａにおける開口部１１の外周部の高さ位置よりも低くなるものとされている。開口部１１付近のカバー部１０の上面部１０ａ上に荷物等が載置された状態で蓋部３１の開閉動作が行なわれても、過負荷がかかることにより駆動機構４０の故障等が引き起こされることを回避することができるためである。また、誤って又は故意に蓋部３１の開閉動作を妨げることによる故障発生を防ぐ効果も有する。
【００３８】
開閉蓋体３０の蓋部３１が開口部１１を開いた状態においてカバー部１０の開口部１１から汚物等の対象物を下方へ受容した場合、受容した対象物は、両支持板部３２の間でシュート５０により収容部２０内へ案内される。
【００３９】
(6) 駆動機構４０は、開閉蓋体３０を駆動して蓋部３１により開口部１１を開閉するためのものであって、カバー部１０内に設けられている。
【００４０】
駆動機構４０は、必要な減速装置及び制御部を備えた電動機（図示せず）を動力源として有する。カバー部１０の幅が大きくなることを抑える上で、駆動機構４０はカバー部１０内における開口部１１の後方（図３及び図７における左方）に位置させている。
【００４１】
カバー部１０の上部には、対象物を感知するセンサＳが設けられている。
【００４２】
センサＳが対象物等を感知することにより出力される信号に基づき電動機が所定の回転を行なうことにより、駆動機構４０が開閉蓋体３０を駆動して蓋部３１により開口部１１を開かせ、例えば所定時間経過後に、駆動機構４０が開閉蓋体３０を駆動して蓋部３１により開口部１１を閉じる。なお、具体的な制御方法は適宜に選択し得る。
【００４３】
動力源と開閉蓋体３０は、揺動腕４０ａを介して連結されている。揺動腕４０ａの基部は動力源の出力軸４０ｂに同軸状に結合され、揺動腕４０ａの先端部は、開閉蓋体３０における蓋部３１の後方に形成された連結用溝部３０ａに連結されている。
【００４４】
揺動腕４０ａを正方向に所定角度回動させることにより蓋部３１が開き、揺動腕４０ａを逆方向に所定角度回動させることにより蓋部３１が閉じる。動力源の出力軸４０ｂと揺動腕４０ａの間には、トルクリミッタ（図示せず）を介在させて過大な負荷による損傷が防がれている。
【００４５】
[2] 本発明の開閉受容装置及びその開閉受容装置を備える収容器の実施の形態を、上記以外の形態を含めて更に説明する。
【００４６】
(1) 本発明の開閉受容装置は、カバー部と開閉蓋体と駆動機構を備えてなる。
【００４７】
(2) カバー部は、汚物等の対象物を受容するための開口部を有する。
【００４８】
開口部は、上方に開口するものであり、開口部の斜め上方から内部下方が見えにくいものとする上で、全体が上方に開口していることが望ましい。
【００４９】
汚物等の対象物は、カバー部の開口部から下方へ受容される。
【００５０】
開口部は、例えば長方形状、又は、やや外方に凸の丸みを帯びた長方形状とすることができるが、こられに限られるものではない。
【００５１】
カバー部は、例えば、汚物等の対象物を収容する収容部を有する収容器の上側部（例えば収容器全体の上側部又は収容器の一部の上側部）に位置するものとして、開口部から受容した汚物等の対象物を、開口部の下方に位置する収容部に収容し得るものとすることができるが、これに限るものではない。
【００５２】
カバー部及び収容器の外殻部は、例えば合成樹脂製とすることができるが、これに限るものではない。
【００５３】
所定の水平方向（好ましくは正面方向、すなわち汚物等の対象物を開口部に投入する方向、に直交する水平方向）において、カバー部の幅又は収容器の幅は、開口部の幅の１．１乃至１．８倍であることが好ましい。より好ましくは１．１乃至１．６倍である。
【００５４】
なお、カバー部は、他の部分に対し着脱可能なもの（例えば、カバー部が収容器の上側部等の収容器の一部を構成し、収容器の下側部等の収容器の他の部分に対し着脱し得るもの）とすることができるが、必ずしもこれに限らない。
【００５５】
カバー部又は収容器若しくはその他の物には、開口部の下方に位置して開口部から下方へ受容した汚物等の対象物を下方の収容部又はその他の所要箇所へ導くためのシュート（下降傾斜案内路）等の案内部を設けることができる。
【００５６】
このようなシュート等の案内部は、開口部が開口した状態において、カバー部の上方から、汚物等の対象物を収容した収容部等の所要箇所が開口部を通じて見えることを防ぐ（さえぎる）ものとすることができる。
【００５７】
なお、カバー部が他の部分に対し着脱可能なものである場合に、カバー部の高さを（例えば下方に結合する収容部等の高さをできるだけ高くして容量を大きくするために）抑制しつつシュート（下降傾斜案内路）等の案内部の傾斜全長をできるだけ長くして、対象物を所要箇所へ確実に導くと共に下方の所要箇所がカバー部の上方から開口部を通じて見えることを防ぐ効果を高める上で、案内部の下方部がカバー部の下方に突出するものとすることもできる。この場合、カバー部を他の部分に取り付けた状態では、取り付けにより所定箇所が押圧等の所定の作用を受けてシュート等の案内部の傾斜角度が大きくなり下方部がカバー部の下方に突出した使用状態となってこれが維持され、カバー部を取り外した場合は、自重のバランス等によりカバー部から下方に突出しないようにシュート等の案内部の傾斜角度が小さく（逆傾斜も含む）又は水平状となって水平面上に載置し得るような可動式とすることができる。
【００５８】
(3) 開閉蓋体は、開口部を開閉する蓋部を備える。
【００５９】
蓋部は、開口部を閉じた状態におけるカバー部に対する外側部分が、上方等の外方に凸の湾曲状をなし（例えば湾曲板状、特に、ほぼ一定厚の湾曲板状をなし）、その蓋部の内方側に位置する回転軸線を中心として所定角度回転（例えば所定角度正回転及び逆回転）することにより開口部を開閉し得るものである。
【００６０】
蓋部は、開口部を開いた状態及び閉じた状態並びに開閉過程等の何れの状態においても、カバー部の上面部の高さ位置よりも低い（好ましくは、カバー部の上面部における開口部の外周部の高さ位置よりも低い）。開口部付近のカバー部上に荷物等が載置された状態や誤って又は故意に蓋部の開閉が妨げられた状態で蓋部の開閉動作が行なわれて過負荷がかかることにより駆動機構の故障等が引き起こされることを回避するためである。
【００６１】
開口部を閉じた状態における、カバー部に対する外側部分の蓋部の形状は、例えば、外方に凸の円筒状湾曲面の所定中心角部分に相当する形状（例えば湾曲板形状）で、下方に位置する、例えばその円筒状湾曲面の中心軸線に対応する水平回転軸線を中心として蓋部が正逆回転し得るものとすることができる。或いは例えば、球面の一部に相当する形状（例えば湾曲板形状）で、下方に位置する、例えばその円筒状湾曲面の中心軸線に対応する水平回転軸線を中心として蓋部が正逆回転し得るものとすることができる。尤も、これらに限るものではない。蓋部の内方側に位置する前記回転軸線も、必ずしも水平に限らない。
【００６２】
開閉蓋体は、例えば、蓋部と蓋部を回転可能に支持するための構造部分を有するものとすることができる他、蓋部自体とすることもできる。
【００６３】
開閉蓋体は、蓋部が開口部を開いた状態においてカバー部の開口部から汚物等の対象物を下方へ受容した場合に、受容した対象物が収容器の収容部等の所要部へ到達することを害しないことを要する。これについては、蓋部自体が害しないこと以外に、蓋部以外の部分が害しないことを要する。例えば、開閉蓋体が、蓋部を回転軸等の回転軸線を中心とする回転支持構造に対し支持する構造部分を有する場合、そのような構造部分を、開口部の幅方向両側に支持腕や支持板等として設けることにより、カバー部の開口部から受容した対象物が収容器の収容部等の所要部へ到達することを害しないものとすることができる。
【００６４】
(4) 駆動機構は、開閉蓋体を駆動して蓋部により開口部を開閉するためのものであって、カバー部内に設けられる。なお、駆動機構の全部がカバー部内に設けられることは必ずしも要しない。
【００６５】
駆動機構は、動力源を備えるものとすることができる他、動力源を別にすることもできる。カバー部の幅が大きくなることを抑える上で、駆動機構（特に、動力源を備えた駆動機構）はカバー部内における開口部の後方（又は前方）に位置するものとすることが望ましい。
【００６６】
動力源としては、例えば電動機及び必要な減速装置を用いることができるが、必ずしもこれに限るものではない。例えば、カバー部等に設けた対象物等を感知するセンサや各種スイッチ等の信号発生部から入力した信号により所定回転角度（又は所定回転数）正回転して駆動機構を介し蓋部を開かせ、所定時間経過後に逆回転して駆動機構を介し蓋部を閉じるよう制御する制御回路を備えた各種電動機及び所要の減速装置を用いることができる。
【００６７】
駆動機構の例として、動力源と開閉蓋体を直接又は揺動腕を介して連結し、揺動腕を正方向に所定角度回動させることにより蓋部を開き、逆方向に所定角度回動させることにより蓋部を閉じるものとすることができる。蓋部を一定方向に例えば９０度ずつ回転させることにより、開いた状態と閉じた状態を交互に繰り返すようにすることもできる。
【００６８】
なお、駆動機構には、開閉蓋体の間にトルクリミッタを介在させて過大な負荷による動力源やその他の駆動機構の損傷を防ぎ得るものとすることが好ましい。
【符号の説明】
【００６９】
Ａ      収容器
Ｂ      開閉受容装置
Ｓ      センサ
１０      カバー部
１０ａ    上面部
１１      開口部
２０      収容部
２１      上端外周突出部
３０      開閉蓋体
３０ａ    連結用溝部
３１      蓋部
３２      支持板部
３３      蓋体支持軸部
４０      駆動機構
４０ａ    揺動腕
４０ｂ    出力軸
５０      シュート
５１      傾斜板部
５１ａ    突条
５２      水平張出部
５３      上方起立板部
５４      シュート支持軸部
【図１】
0006715089.tif 000002
【図２】
0006715089.tif 000003
【図３】
0006715089.tif 000004
【図４】
0006715089.tif 000005
【図５】
0006715089.tif 000006
【図６】
0006715089.tif 000007
【図７】
0006715089.tif 000008
【図８】
0006715089.tif 000009
【図９】
0006715089.tif 000010
【図１０】
0006715089.tif 000011
【図１１】
0006715089.tif 000012
【図１２】
0006715089.tif 000013